【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
皮膚組織内に美容効果をもたらすためのシステムであって、
１）少なくとも１つのコアリング針と、
２）前記皮膚組織の少なくとも１つの領域にわたって圧縮応力または引張応力を生成しそれを維持するように構成された構成とを備え、
前記コアリング針が、前記皮膚組織に繰り返し挿入されそこから引き抜かれることで、前記皮膚組織の一部を除去することによって前記皮膚組織に穴を形成するように構成されるシステム。
【請求項２】
前記構成が、外科用ステープル、縫合デバイス、フィルム、テンションクリップ、硬化可能な液体、光活性化粘着剤、剛性の対象物および／または生体適合性接着剤を備える、請求項１に記載のシステム。
【請求項３】
前記縫合デバイスが、縫合針と、縫合糸とを備える、請求項２に記載のシステム。
【請求項４】
前記フィルムが、事前に延伸されたフィルムまたは熱収縮性フィルムである、請求項２に記載のシステム。
【請求項５】
前記フィルムが粘着面を備える、請求項２に記載のシステム。
【請求項６】
前記テンションクリップが、前記皮膚組織に挿入するように構成された２つの先構成を備える、請求項２に記載のシステム。
【請求項７】
前記先構成が、それぞれの遠位端に鋭利な先端または縁部を備える、請求項６に記載のシステム。
【請求項８】
前記先構成が弾性材によって接続される、請求項６または７に記載のシステム。
【請求項９】
前記弾性材が、ストラップ、コード、ゴムバンド、バンジーコードである、請求項８に記載のシステム。
【請求項１０】
前記光活性化粘着剤が、ローズベンガル、リボフラビン、ポルフィリン、クロリンおよび／または光増感剤前駆体である、請求項２に記載のシステム。
【請求項１１】
前記剛性の対象物が、剛性フィルムまたは剛性プレートである、請求項２に記載のシステム。
【請求項１２】
前記生体適合性接着剤がシアノアクリレートである、請求項２に記載のシステム。
【請求項１３】
前記構成が、圧縮応力または引張応力を生成し、穴がほぼ閉鎖されるまでそれを維持するように構成される、請求項１から１２のいずれか一項に記載のシステム。
【請求項１４】
前記構成が、圧縮応力または引張応力を生成し、前記穴が形成された後少なくとも４日の間それを維持するように構成される、請求項１から１３のいずれか一項に記載のシステム。
【請求項１５】
前記構成が、前記皮膚組織の領域を前記皮膚表面に沿って１つまたは複数の方向に引き伸ばすおよび／または圧縮することで穴の閉鎖を促進するように構成される、請求項１に記載のシステム。
【請求項１６】
前記コアリング針が、前記コアリング針の遠位端に設けられた少なくとも２つの先を備える、請求項１から１５のいずれか一項に記載のシステム。
【請求項１７】
前記コアリング針が、前記コアリング針の遠位端に設けられた３つの先を備える、請求項１６に記載のシステム。
【請求項１８】
前記コアリング針が、前記コアリング針の遠位端に設けられた４つの先を備える、請求項１６に記載のシステム。
【請求項１９】
前記コアリング針が、約０．２ｍｍから約０．７ｍｍの間の内径を有する、請求項１−１８のいずれか一項に記載のシステム。
【請求項２０】
前記コアリング針が、約０．２ｍｍから約０．５ｍｍの間の内径を有する、請求項１９に記載のシステム。
【請求項２１】
前記コアリング針のゲージサイズが、約１９から２７ゲージの間である、請求項１−２０のいずれか一項に記載のシステム。
【請求項２２】
前記コアリング針のゲージサイズが、約２１から２７ゲージの間である、請求項２１に記載のシステム。
【請求項２３】
前記コアリング針が、（ｉ）部分的に真皮層に入る、または（ｉｉ）真皮層全体を貫通して皮下脂肪層に至るまで挿入するように構成される、請求項１から２２のいずれか一項に記載のシステム。
【請求項２４】
前記システムが複数のコアリング針を備える、請求項１から２３のいずれか一項に記載のシステム。
【請求項２５】
前記コアリング針を前記皮膚組織の上を横断させるように構成された往復運動機構をさらに備える、請求項１から２４のいずれか一項に記載のシステム。
【請求項２６】
前記コアリング針を挿入し引き抜くように構成されたアクチュエータをさらに備える、請求項１から２５のいずれか一項に記載のシステム。
【請求項２７】
基板をさらに備え、前記少なくとも１つのコアリング針が前記基板に取り付けられる、請求項１から２６のいずれか一項に記載のシステム。
【請求項２８】
前記コアリング針と連通するように真空空間が配置される際、前記皮膚組織の表面と、コアリング針との接触を促進させるように構成される真空空間をさらに備える、請求項１から２７のいずれか一項に記載のシステム。
【請求項２９】
前記コアリング針が、約５％から５０％の間である、前記皮膚組織の面積の一部を除去するように構成される、請求項１から２８のいずれか一項に記載のシステム。
【請求項３０】
前記コアリング針が、約１０％から３０％の間である、前記皮膚組織の面積の一部を除去するように構成される、請求項２９に記載のシステム。
【請求項３１】
前記コアリング針が、約６％である、前記皮膚組織の面積の一部を除去するように構成される、請求項２９に記載のシステム。
【請求項３２】
前記システムが、前記皮膚組織の一部を除去することによって前記皮膚組織の中に特定の配列を形成するように構成される、請求項１から３１のいずれか一項に記載のシステム。
【請求項３３】
前記配列が、ランダム配列、正方形配列、矩形配列または互い違いの列の配列である、請求項３２に記載のシステム。
【請求項３４】
前記コアリング針が細長い非円形の断面を有する、請求項１に記載のシステム。
【請求項３５】
前記システムが、前記皮膚組織の一部を除去することによって前記皮膚組織内に複数の穴を形成し、前記皮膚組織の少なくとも１つの領域にわたって圧縮応力または引張応力を生成しそれを維持するように構成され、
前記システムが、目に見える印または傷跡を形成せずに皮膚面積を縮小するように構成される、
皮膚面積を縮小するための方法において使用するための請求項１から３４のいずれか一項に記載のシステム。
【請求項３６】
前記システムが、前記穴が形成される前および／または後に圧縮応力または引張応力を生成しそれを維持するように構成される、請求項３５に記載のシステム。
【請求項３７】
前記システムが、穴の閉鎖を促進するために前記皮膚組織の領域を前記皮膚表面に沿って１つまたは複数の方向に引き伸ばすおよび／または圧縮するように構成される、請求項３５に記載のシステム。
【請求項３８】
少なくとも１つの穴の直径が約０．２ｍｍから約０．７ｍｍの間である、請求項３５から３７のいずれか一項に記載のシステム。
【請求項３９】
少なくとも１つの穴の直径が約０．２ｍｍから約０．５ｍｍの間である、請求項３８に記載のシステム。
【請求項４０】
前記システムが、（ｉ）部分的に真皮層に入る、または（ｉｉ）真皮層全体を貫通して皮下脂肪層へと至る深さのところに少なくとも１つの穴を形成するように構成される、請求項３５から３９のいずれか一項に記載のシステム。
【請求項４１】
前記システムが、約５％から５０％の間である、前記皮膚組織の面積の一部を除去するように構成される、請求項３５から４０のいずれか一項に記載のシステム。
【請求項４２】
前記システムが、約１０％から３０％の間である、前記皮膚組織の面積の一部を除去するように構成される、請求項４１に記載のシステム。
【請求項４３】
前記システムが、約６％である、前記皮膚組織の面積の一部を除去するように構成される、請求項４１に記載のシステム。
【請求項４４】
前記皮膚組織内の前記複数の穴が特定の配列内にある、請求項３５から４３のいずれか一項に記載のシステム。
【請求項４５】
前記配列が、ランダム配列、正方形配列、矩形配列または互い違いの列の配列である、請求項４４に記載のシステム。
【請求項４６】
前記少なくとも１つの穴が非対称または非円形である、請求項３５から４５のいずれか一項に記載のシステム。